(57)【要約】  本発明は、データをマークの形式で記憶するためのデータ領域であって、該データ領域中に、データはチャネルコードによって符号化され、ここで、前記記録担体上の前記マークに既定のランレングス分布を導入してこれによりウォーターマークに関連する第１の情報を導入するようにチャネルコードのパラメータが制御される、データ領域と、ウォーターマークに関連する第２の情報を有する非データ領域とを有し、前記第１の及び前記第２の情報は前記ウォーターマークを形成する、記録担体に関する。データ領域並びに内側リング領域及び／又は外側リング領域の両方に渡って延在するこのウォーターマークは、記録担体の真正性及び／又はこの記録担体上になされた記録の真正性をチェックするのに用いられることができる。本発明は、更に、記録担体にウォーターマークを提供する方法に関する。
2007519159.tif 000002
【特許請求の範囲】
【請求項１】
記録担体において、
−データをマークの形式で記憶するためのデータ領域であって、前記データはチャネルコードによって当該データ領域内に符号化され、ここで、前記記録担体上の前記マークに既定のランレングス分布を導入してこれによりウォーターマークに関連する第１の情報を導入するように、前記チャネルコードのパラメータが制御される、データ領域と、
−ウォーターマークに関連するピクチャ及び／又はテキスト情報を有する第２の情報を有する非データ領域と、
を有し、前記第１の及び前記第２の情報は前記ウォーターマークを形成する、記録担体。
【請求項２】
請求項１に記載の記録担体において、前記ウォーターマークを形成する前記第１の及び前記第２の情報は、互いに対して方向付けされている、記録担体。
【請求項３】
請求項２に記載の記録担体において、前記第１の及び前記第２の情報は、前記非データ領域に存在する位置情報を用いて互いに対して方向付けされている、記録担体。
【請求項４】
請求項２又は３に記載の記録担体において、前記第１の情報と前記第２の情報との間の既定の角度を示す角度情報を更に有する記録担体。
【請求項５】
請求項４に記載の記録担体において、前記角度情報は真正性認証情報として用いられる、記録担体。
【請求項６】
請求項１又は２に記載の記録担体において、前記非データ領域は内側リング領域及び／又は外側リング領域である、記録担体。
【請求項７】
請求項１又は２に記載の記録担体において、前記非データ領域は、グラフィックバンド、テキストバンド、マトリクスバンド又は識別バンドである、記録担体。
【請求項８】
請求項１又は２に記載の記録担体において、前記データ領域は、実質的に平行なトラックのパターンを有し、前記既定のランレングス分布はトラック間で相関付けされ、このため、前記第１の情報は視覚的に検出可能である、記録担体。
【請求項９】
請求項１又は２に記載の記録担体において、前記第１の情報は非視覚的に検出可能である、記録担体。
【請求項１０】
請求項１又は２に記載の記録担体において、前記チャネルコードはＣＤデジタルオーディオディスクにおいて用いられるＥＦＭチャネルコードであり、前記パラメータはマージングビットの選択である、記録担体。
【請求項１１】
請求項１又は２に記載の記録担体において、前記パラメータは、ＤＶＤにおいて用いられるＥＦＭ＋チャネルコードの代替表からの情報語（例えば情報語１〜８８）についてのチャネル語間の選択又は同期語間の選択若しくは状態間の選択である、記録担体。
【請求項１２】
記録担体にウォーターマークを提供する方法において、
−符号化されていないデータを受信するステップと、
−前記ウォーターマークに関連する第１の情報を受信するステップであって、前記第１の情報は、符合化されたデータにおいて提供されるべきものである、ステップと、
−前記ウォーターマークに関連するピクチャ及び／又はテキスト情報を有する第２の情報を受信するステップであって、前記第２の情報は非データ領域において提供されるべきものである、ステップと、
−チャネルコードによって前記符号化されていないデータを符合化して、符合化されたデータにするステップであって、前記チャネルコードのパラメータは、前記記録担体上の前記マークに既定のランレングス分布を導入するように、前記ウォーターマークに関連する前記第１の情報の影響下で制御される、ステップと、
−前記符合化されたデータを前記記録担体に記憶するステップと、
−前記第２の情報を前記非データ領域に記憶するステップと、
を有する方法。
【発明の詳細な説明】
【技術分野】
【０００１】
本発明は、ウォーターマークを保持する記録担体及びこのようなウォーターマークを記録担体に提供する方法に関する。
【背景技術】
【０００２】
国際特許出願公開第０２／４１３１６号（ＰＨ−ＮＬ０１０６０４）において、ウォーターマークを記録担体（例えばＣＤディスク又はＤＶＤディスク）のデータ領域に追加するのに用いられることができるビジュアルウォーターマーキングの技術が説明されている。ウォーターマークが追加される手法のおかげで、利用可能なデータ容量は悪影響を受けない。国際特許出願公開第０２／４１３１６号のテキストは、ここで参照により組み込まれたものとする。
【０００３】
このウォーターマークは、記録担体に記憶されるべきデータを符号化するのに用いられるチャネルコードのパラメータを制御することによって導入される。ＣＤデジタルオーディオディスクにおいて用いられるように、用いられる記録担体のチャネルコードがＥＦＭチャネルコードである場合、制御パラメータとして、マージングビットの選択が用いられることができる。ＤＶＤにおいて用いられるように、用いられるチャネルコードがＥＦＭ＋チャネルコードである場合、制御パラメータとして、代替表からの情報語（例えば情報語１〜８８）についてのチャネル語間の選択又は同期語間の選択若しくは状態間の選択が用いられることができる。
【０００４】
チャネル符号化パラメータのこの制御に起因して、既定のランレングス分布が、記録担体上のマークに導入される。これは、ウォーターマークを記録担体上に作製する。このようにしてウォーターマークを記録担体上に提供することによって、ウォーターマークをデータの位置と同じ位置に提供することが可能である。即ち、データとウォーターマークとが結合（merge）される。これは、データ領域がウォーターマークを含むことができない既存のマスタリング技術とは異なる。従って、このウォーターマークは、記録担体の利用可能なデータ容量の犠牲を伴わない。
【０００５】
記録担体上のマークにおけるこのような既定のランレングス分布の導入は、輝度の差を生む結果となり、これは、ウォーターマークが記録担体上で検出可能であることを保証する。これらの輝度の差は、短いランレングスを持つピットが、より長いランレングスを持つピットとは異なった角度で光を反射するという事実によって生じる。ウォーターマークを提供するとき、符号化されたデータ自体は、当然、変更されない。言わば、ウォーターマークは、符号化されたデータに混交される（interwoven）。
【０００６】
単語、例えば商用名が、視覚的に検出可能なウォーターマークとして選択されることができる。このようなウォーターマークは、例えば、記録担体のオリジナリティを示すのに用いられることができる。更に、視覚的に検出可能なウォーターマークはマーケティング機能も持ち得る。なぜなら、例えば、音楽ＣＤ上で、ウォーターマーク中に、関連するアーティストの画像を配置することによって、記録担体の見た目が良い影響を受けるからである。更に、記録担体への単語の記録は、記録担体の上面の印刷を不要にする可能性がある。これは、記録担体の製造コストを削減することになる。
【０００７】
このようなウォーターマークがこのようにして、記録担体の記録の真正性をチェックするために用いられることができるものの、要求される既定のランレングス分布を計算するためのアルゴリズムがハッキングされることは、常に可能であり続ける。この場合、正しいウォーターマークの存在は、真正性の証明にはもはや用いられることができない。
【発明の開示】
【発明が解決しようとする課題】
【０００８】
従って、本発明の目的は、より堅牢なウォーターマークを持つ記録担体を実現することである。
【課題を解決するための手段】
【０００９】
このため、本発明による記録担体は、データをマークの形式で記憶するためのデータ領域であって、前記データはチャネルコードによって当該データ領域内に符号化され、ここで、前記記録担体上の前記マークに既定のランレングス分布を導入してこれによりウォーターマークに関連する第１の情報を導入するように、前記チャネルコードのパラメータが制御される、データ領域と、ウォーターマークに関連する第２の情報を有する非データ領域とを有し、前記第１の及び前記第２の情報は前記ウォーターマークを形成する。この目的は、このようにして、記録担体の非データ領域中にこのウォーターマーク技術を用いて埋め込まれる情報を拡張することによって実現される。
【００１０】
本発明による記録担体の好適な実施例において、ウォーターマークを形成する第１の及び第２の情報は、好適には非データ領域に存在する位置情報を用いて互いに対して方向付けされている。記録担体のマスタリングプロセスにおいて、非データ領域は、一般的に、マスタリング中の別個の段階で記録される。この記録は、レーザビームレコーダによって実行されることもできるが、記録担体のデータ領域に記憶されるべきデータを符号化するのに用いられるエンコーダによっても実行されることもできる。この場合には、非データ領域は同じエンコーダを用いて記録されることができるから、ウォーターマークを形成する部分は、互いに対してより容易に方向付けされることができる。第２の情報は、データ領域に存在する第１の情報と同種の情報を有することができるが、異なっていてもよい。例えば、第１の情報はピクチャ情報を有することができる一方で、第２の情報はテキスト情報を有する。方向決めは、非データ領域に存在する位置情報を用いて実行されることができる。
【００１１】
他の実施例において、記録担体は、更に、第１の情報と第２の情報との間の既定の角度を示す角度情報を有する。この角度情報は、（ウォーターマークに加えて）更なる真正性チェックとして用いられることができる。
【００１２】
他の実施例において、非データ領域は、記録担体の内側リング領域及び／又は記録担体の外側リング領域であり、前記内側リング領域は、例えば、グラフィックバンド、テキストバンド、マトリクスバンド又は識別バンドである。用語「内側リング」領域及び「外側リング」領域は、記録担体上においてデータ記録用として意図される領域以外の領域を意図する。
【００１３】
第１の及び第２の情報は、視覚的に検出可能であってもよいし、又は、非視覚的に検出可能であってもよい。データ領域に存在する第１の情報を視覚的に検出可能にする１つの方法は、既定のランレングス分布をトラック間で相関付けることである。視覚的に検出可能でない第２の情報は、例えば、記録担体の内側リング領域に書き込まれたマイクロテキストの形式であることができる。
【００１４】
本発明は、更に、このような記録担体にウォーターマークを提供する方法に関する。
【発明を実施するための最良の形態】
【００１５】
本発明のこれらの及び他の側面は、以下で説明される実施例を参照して説明され明らかにされる。
【００１６】
図１において、本発明による記録担体を作製することができるようにデータ及びウォーターマーク情報を符号化するのに用いられるプロセスの実施例が示される。このプロセスにおいて、装置１は、記録担体に記憶されるべきデータ３を受信するエンコーダ２を有する。エンコーダにおいて、データ３は、チャネル変調器５においてチャネル変調される。用いられるチャネル変調は、結果として生じるマスターディスクを用いて製造されるべき記録担体の種類に依存する。例えば、ＤＶＤ型ディスクが製造されるときはＥＦＭ＋チャネルコードである。エンコーダに加えて、装置１は、位置計算ユニット６を有し、これは、グラフィックデータ４に基づいて、記録担体に第１の情報を導入するようにチャネル変調に影響を与える。この実施例の記録担体は、レーザビームレコーダ（ＬＢＲ）８を制御することによって得られるマスターディスクを用いて作製される。このＬＢＲの１つの実現態様では、チャネル変調器５が「マスター」であり、タコ信号１０を用いて位置計算ユニット６を介してＬＢＲの回転を制御する。他の実現態様においては、ＬＢＲ  ８が「マスター」であり、自主的に回転する。この状況では、チャネル変調器は、ＬＢＲに正しい出力を提供することができるためには、ゼロパルス１１を用いてＬＢＲの角度位置をリアルタイムで決定しなければならない。更に、チャネル変調器５において得られるチャネル変調されたデータは、ＬＢＲの強度９を制御するのに用いられる。当業者には、ディスクマスタリングのプロセスは良く知られているので、このプロセスの詳細な説明は与えられない。本発明に関連する詳細のみが以下に示される。
【００１７】
記録担体のデータ領域をマスタリングする前又は後に、第２の情報は、記録担体の非データ領域（例えば内側リング領域）に書き込まれる。この領域は、グラフィックバンド、テキストバンド、マトリクスバンド又は識別バンドとも呼ばれる。例えば、このグラフィックバンドは、３９〜４６ｍｍの直径の領域として規定されることができる。このテキストバンドを書き込むためには、レーザビームレコーディング（ＬＢＲ）８は、データ領域をマスタリングするときに通常用いられるトラックピッチとは異なった（より高い）トラックピッチでセットされ、定角速度（ＣＡＶ）モードにセットされる。パルス信号１１は、テキストバンドにおけるテキストの書込みの開始を示すために提供される。このパルス信号は、各ターンの開始時において与えられ、毎ターン、ウォーターマーク情報を書き込むために用いられる。この実施例においては、ＬＢＲ  ８が「マスター」であり、チャネル変調器５が「スレーブ」であることが注意されるべきである。  テキストバンドを書き込んだ後、ＬＢＲ  ８は、データ領域をマスタリングするために、線速度一定（ＣＬＶ）モードにセットされる。更に、データ領域において、データ領域のマスタリングの開始を示すためにパルス信号が提供される。パルス信号は、各ターンの完了後にも与えられる。データ領域並びに内側リング領域及び／又は外側リング領域の両方に渡って延在する完全なウォーターマークを書き込むために、ＬＢＲに存在するエンコーダは、テキストバンドの開始において開始パルスを与えられなければならず、好適にはＬＢＲはマスタリングプロセス全体を通じてＣＬＶ又はＣＡＶの同じモードにセットされる。これらの内側リング領域及び外側リング領域の内容は、データ領域に埋め込まれるべき内容と同じ内容であるかのように取り扱われることができる。しかし、この場合、これらの領域に情報が書き込まれる態様は、ウォーターマーク画像が単純なレーザオン／レーザオフ方法（テキストリング記録のために現在用いられているようなもの）に書き込まれる態様とは異なる。
【００１８】
第１の及び第２の情報の両方を持つ、結果として得られるマスターディスク１２は、このとき、本発明による記録担体１３を作製するのに用いられる。
【００１９】
図２〜５において、本発明による記録担体の種々の実施例が示される。図２において、第１の情報と第２の情報が互いに方向付けされていない記録担体が示される。この記録担体は、外側グラフィックバンド２１、データ領域２２、内側グラフィックバンド２３及びクランプ領域２５からなる。第１の情報２６は、データ領域２２中で矢印の形式で存在し、第２の情報２４は、クランプ領域２５中に存在する。この絵で示されるように、矢印の形式の、結果として得られるウォーターマークは、ディスクの全領域に渡る「連続効果（continuous effect）」を示さない。なぜなら、矢印の絵は、非データクランプ領域２５を横切るときに中断されるからである。
【００２０】
矢印の絵が外側グラフィックバンド３１、データ領域３２及び内側グラフィックバンド３４に渡って延在する図３に示される実施例と比較して、矢印はクランプ領域３５によってのみ中断される。データ領域３２中の第１の情報は、３６で示される一方で、非データ領域（内側グラフィックバンド３４及び外側グラフィックバンド３１）中の第２の情報は３４及び３７で示される。
【００２１】
本発明による記録担体の別の実施例が図４に示される。この図では、ウォーターマークを持つ記録担体が示される。この記録担体上では、ウォーターマークされた矢印４７に加え、他の情報が存在する。この情報は、２つの基準間の既定の角度４８からなる。１つの基準はウォーターマークされた領域４２中に存在するグラフィック基準４７であり、他の基準は、内側グラフィックバンド４３中に存在するテキスト基準４９である。テキスト基準４９の代わりに、非データ領域においてはいかなる種類の基準も用いられることができる。例えば、記録担体のミラーゾーンにおいては、データ領域及びミラー領域の交互パターンが基準として用いられることができる。データ領域及びミラー領域の交互パターンは、データ領域に存在する第１の情報と合わせてウォーターマークを形成する第２の情報としてより一般的に用いられることができる。この角度情報は、真正性認証目的のために用いられることができる。例えば、ウォーターマークを導入するために要求される既定のランレングス分布を計算するためのアルゴリズムの場合には、ハッキングされる。
【００２２】
別の実施例が図５に示される。この図に示される記録担体では、内側グラフィックバンド５３中のマーク５４及びデータ領域５２中のウォーターマーク情報５６の組み合わせが用いられる。記録担体の非データ領域に存在するこれらのマークは、データ領域に存在するテキスト／ピクチャと非データ領域に存在するテキスト／ピクチャとの間の既定の方向決めを実現するために位置情報としても用いられることができる。これらのマークは視覚的及び非視覚的であることができる。例えば、顕微鏡の助けを借りてのみ見える。
【００２３】
本発明の種々の実施例を議論した後、本発明が以下のアプリケーションに用いられることができることは明らかであろう。
【００２４】
存在するウォーターマークは、（好適にはウォーターマークを形成する異なった部分（例えばデータ領域に存在する部分及び内側グラフィックバンドに存在する部分）間の既定の角度も用いて記録担体の真正性確認に用いられることができる。より具体的なアプリケーションでは、既定の角度は、データ領域中のウォーターマークの正確な開始角度と内側テキストリング又は外側テキストリング中のウォーターマークの正確な開始角度との間の角度差であってよい。この角度差は、記録担体の製造者を識別するキーとして用いられることができる。前述のとおり、ウォーターマークは透明であってもよく、従って、テキストバンドに書き込まれたマイクロテキストが用いられることができる。更に、ディスクの内側及び／又は外側エッジの近くのＬＢＲを介して数、バーコード、テキスト又は小さいビットマップの形式の製品ＩＤコードが書き込まれることができる。
【００２５】
これらのアプリケーションから、本発明による主な考えは、記録担体の既存の非データ領域に存在する又は該領域に記憶されるべきあらゆる種類の情報と、データ領域に存在するウォーターマーク情報との組み合わせであることが、明らかであろう。加えて、接線位置情報が、例えば、データ領域中のウォーターマークと非データ領域に存在するテキストとの間の角度に、追加的な真正性チェックに用いられるために記憶されることができる。
【００２６】
本発明は上述の実施例を参照して説明されたが、同じ目的を達成するために他の実施例が代替的に用いられることができることは明らかであろう。従って、本発明の範囲は、上述の実施例に限定されるものではなく、全ての種類の記録担体（リードオンリー及びレコーダブル／リライタブル）に適用されることができる。
【００２７】
本明細書及び特許請求の範囲における動詞「有する（comprises/comprising）」及びその活用形は、記載された特徴、整数、ステップ又は構成要素の存在を特定すると理解されるべきであり、１つ又は複数の特徴、整数、ステップ、構成要素又はそのグループの存在又は追加を排除するものではないことに注意されたい。また、請求項中の、要素に先行する不定冠詞「a」又は「an」は、複数のこのような要素の存在を排除するものではないことに注意されたい。更に、いかなる参照符号も請求の範囲を制限しない。本発明は、ハードウェア及びソフトウェアの何れによっても実現可能であり、幾つかの「手段」がハードウェアの同一の部品によって表されることができる。更に、本発明は、新しい特徴のそれぞれ又は特徴の組み合わせに存在する。
【００２８】
要約すると、本発明は、データをマークの形式で記憶するためのデータ領域であって、該データ領域中に、データはチャネルコードによって符号化され、ここで、前記記録担体上の前記マークに既定のランレングス分布を導入してこれによりウォーターマークに関連する第１の情報を導入するようにチャネルコードのパラメータが制御される、データ領域と、ウォーターマークに関連する第２の情報を有する非データ領域とを有し、前記第１の及び第２の情報は前記ウォーターマークを形成する、記録担体に関する。データ領域並びに内側リング領域及び／又は外側リング領域の両方に渡って延在するこのウォーターマークは、記録担体の真正性及び／又はこの記録担体上になされた記録の真正性をチェックするのに用いられることができる。本発明は、更に、記録担体にウォーターマークを提供する方法、及び、記録担体にウォーターマークを提供する装置に関する。
【図面の簡単な説明】
【００２９】
【図１】本発明による記録担体を作製することができるようにデータ及びウォーターマーク情報を符号化するのに用いられるプロセスの実施例を示す。
【図２】本発明による情報担体の第１の実施例を示す。
【図３】本発明による情報担体の第２の実施例を示す。
【図４】本発明による情報担体の第３の実施例を示す。
【図５】本発明による情報担体の第４の実施例を示す。
【図１】
2007519159.tif 000003
【図２】
2007519159.tif 000004
【図３】
2007519159.tif 000005
【図４】
2007519159.tif 000006
【図５】
2007519159.tif 000007
【国際調査報告】
2007519159.tif 000008
2007519159.tif 000009
2007519159.tif 000010